(57)【要約】【課題】  カードとしての携帯性を有したままカードが台紙から剥離されていることを第３者が確認できる開封履歴機能を有した台紙一体型カードを提供することを目的とするものである。【解決手段】  本発明は、カード台紙１２と、前記カード台紙１２と折り線１４を介して二つ折り可能に連接されたカード支持部１８と、前記カード支持部１８により支持され、前記折り線１４と直交する方向の長さが前記カード支持部１８の長さと等しいカード部１６と、を備え、前記カード部１６の一辺は前記カード台紙１２の折り線１４側の一辺と隣接または切り離し可能に連接され、連接されたカード部１６の一辺と直交する方向の二辺は前記カード支持部１８と切り離し可能に連接されていることを特徴とする台紙一体型カード１００により上記の課題を解決した。【選択図】  図６
2014223767.tif 000002
【特許請求の範囲】
【請求項１】
カード台紙と、前記カード台紙と折り線を介して二つ折り可能に連接されたカード支持部と、前記カード支持部により支持され、前記折り線と直交する方向の長さが前記カード支持部の長さと等しいカード部と、を備え、前記折り線を介して二つ折りされたカード台紙とカード支持部とが接着部を介して接着された台紙一体型カードであって、前記カード部の一辺は前記カード台紙の折り線側の一辺と隣接または切り離し可能に連接され、連接されたカード部の一辺と直交する方向の二辺は前記カード支持部と切り離し可能に連接されていることを特徴とする台紙一体型カード。
【請求項２】
前記カード部の四コーナーが角丸形状であることを特徴とする請求項１に記載する台紙一体型カード。
【請求項３】
前記カード部と前記カード支持部とを連接する連接部は、前記カード部の前記折り線と直交する方向の一対の辺に設けられたミシン目状の連接部であることを特徴とする請求項１または２に記載する台紙一体型カード。
【請求項４】
前記カード部と前記カード支持部とを連接する連接部は、前記カード部の前記折り線と直交する方向の一対の辺に設けられた留め状の連接部であり、前記留め状の連接部を一辺当たり少なくとも２個以上設けたことを特徴とする請求項１または２に記載する台紙一体型カード。
【請求項５】
前記カード支持部の四コーナーのうち少なくとも前記折り線と対向する辺のコーナーが、角丸形状であることを特徴とする請求項１ないし請求項４のいずれか一項に記載する台紙一体型カード。
【請求項６】
前記台紙の四コーナーのうち少なくとも前記折り線と対向する辺のコーナーが、角丸形状であることを特徴とする請求項１ないし請求項５のいずれか一項に記載する台紙一体型カード。
【請求項７】
前記カード台紙の折り線側の一辺には、カード取り出し部が備わっていることを特徴とする請求項１ないし請求項６のいずれか一項に記載する台紙一体型カード。
【請求項８】
前記カード部には、光学読取り可能なコード情報が形成されていることを特徴とする請求項１ないし請求項７のいずれか一項に記載する台紙一体型カード。
【請求項９】
前記コード情報が、一次元コードまたは二次元コードであることを特徴とする請求項８に記載する台紙一体型カード。
【請求項１０】
前記カード台紙には窓部が設けられ、前記コード情報が前記窓部を介して表出することを特徴とする請求項１ないし９のいずれか一項に記載する台紙一体型カード。
【請求項１１】
前記窓部は、前記カード台紙の少なくとも一部を切除して形成したことを特徴とする請求項１０に記載する台紙一体型カード。
【請求項１２】
前記カード台紙の窓部と対応しない前記カード部表面の所定領域にカードに固有なコード情報が形成されていることを特徴とする請求項１ないし１１のいずれか一項に記載する台紙一体型カード。
【請求項１３】
前記カードに固有なコード情報はスクラッチ層で覆われていることを特徴とする請求項１２に記載する台紙一体型カード。
【発明の詳細な説明】
【技術分野】
【０００１】
本発明は、カード台紙とカード支持部とカードとが一体となった台紙一体型カードに関し、さらに詳しくはプラスチックシートまたは厚紙を基材としたカード台紙とカード支持部とカードとが一体となった台紙一体型カードに関するものである。
【背景技術】
【０００２】
近年、自社の店頭で他社のギフトカードを陳列して販売する百貨店、スーパー・マーケット、 コンビニエンス・ストアや、各種の専門店などの小売店が増加傾向にある。ギフトカードとしては例えば、音楽ダウンロード用のプリペイドカード（ｉＴｕｎｅｓ  Ｃａｒｄ（登録商標））やゲームを楽しむプリペイドカード（ニンテンドープリペイドカード、プレイステーションネットワーク カード、ＧＲＥＥ、Ｍｏｂａｇｅ、Ａｍａｚｏｎ（いずれも登録商標））等がある。
【０００３】
中でもＰＯＳＡ（Ｐｏｉｎｔ  ｏｆ  Ｓａｌｅｓ  Ａｃｔｉｖａｔｉｏｎ）カードはインコム・ジャパン株式会社の登録商標で、ＰＯＳＡ（ポサ）カードは、レジで店員がバーコードを読取り購入希望者の支払いが完了した時点で初めて対象のカードに記載している例えばＰＩＮコードが使用可能となる（有効化される）カードである。購入者はカードに記載されているＰＩＮコードを入手し、インターネット上でＰＩＮコードを入力することにより金銭として使用することができる。ここでいうＰＩＮ（Ｐｅｒｓｏｎａｌ  Ｉｄｅｎｔｉｆｉｃａｔｉｏｎ  Ｎｕｍｂｅｒ）コードとはいわゆる暗証番号のことである。
【０００４】
ＰＯＳＡカードはソフトウエアの流通がソフトウエア製品販売流通からソフトウエアダウンロード流通（オンライン販売）にシフトしている中で見いだされたものと考えられる。これは、実際の物品を販売する量販店などではよく見られるシステムである。すなわち実物の代わりに、実物を表示するカードを売り場に置く。そのカードをレジに持参し決済すると実物が渡される仕組みになっている。
【０００５】
ＰＯＳＡカードの場合は、商品のモックアップ（模型）やカードなどそれ自体は価値の低いものを購入希望者がレジに持参し決済した段階で、モックアップやカードをアクティベーションして使用することになる。このやり方だと、在庫負担を大幅に軽減する事が可能となる。
【０００６】
ＰＯＳＡカードは一般に紙の台紙にＰＥＴ（ポリエチレンテレフタレート）や紙製のカードが貼付されている形態のものが多いが、ＰＯＳＡカードの中には、カードが無く台紙に直接ＰＩＮコードとバーコードが印字されている形態のものもある。
【０００７】
例えば、特許文献１には、携帯電話や国際電話向けの料金別納方式の電話カードに好適な台紙一体型カードに関するものが開示されている。カードには、秘匿情報表示部と秘匿情報表示部を隠蔽する隠蔽層すなわちスクラッチ層が形成されている。
【先行技術文献】
【特許文献】
【０００８】
【特許文献１】特許第４３０７９７７号公報
【発明の概要】
【発明が解決しようとする課題】
【０００９】
特許文献１に記載されている台紙一体型カードにおいては、カードの裏面にスクラッチ隠蔽層が施されており、スクラッチ隠蔽層が露出している。そのため台紙一体型カードの搬送時あるいは店頭販売時にスクラッチ隠蔽層が擦れて傷が生じたり、剥がれることによってスクラッチ隠蔽層の下面にある個別認識情報が可視化したりしてしまうという課題がある。個別認識情報が可視化してしまうと正当な使用者でない者が個別認識情報を入手し使用してしまう可能性がある。そこで、カードとしての携帯性を有したままカードが台紙から剥離されていることを第３者が確認できる開封履歴機能を有した台紙一体型カードを提供することを目的とするものである。  
【課題を解決するための手段】
【００１０】
そこで、本発明に係わる台紙一体型カードは、以下の各態様により上記課題を解決した。なお、以下の各態様に付した括弧内の符号は、図面に付した符号と対応している。
【００１１】
本発明に係わる第１の態様は、カード台紙（１２）と、前記カード台紙（１２）と折り線（１４）を介して二つ折り可能に連接されたカード支持部（１８）と、前記カード支持部（１８）により支持され、前記折り線（１４）と直交する方向の長さが前記カード支持部（１８）の長さと等しいカード部（１６）と、を備え、前記折り線（１４）を介して二つ折りされたカード台紙（１２）とカード支持部（１８）とが接着部（１９）を介して接着された台紙一体型カード（１００）であって、前記カード部（１６）の一辺は前記カード台紙（１２）の折り線（１４）側の一辺と隣接または切り離し可能に連接され、連接されたカード部（１６）の一辺と直交する方向の二辺は前記カード支持部（１８）と切り離し可能に連接されていることを特徴とする台紙一体型カード（１００）である。    
【００１２】
第１の態様において、カード部（１６）の一辺と前記カード台紙（１２）の折り線（１４）側の一辺とを隣接された状態にして、カード台紙（１２）に対してカード支持部（１８）とカード部（１６）を折り畳んで台紙一体型カード（１００）とすることで、当該台紙一体型カード（１００）の折り線（１４）上に、カード部（１６）の一辺が位置することになる。この場合、前記折り線（１４）上の一辺と、前記カード部（１６）の一辺との間に連接部が存在しない状態となる。したがって、前記カード部（１６）の一辺は滑らかな状態となる。
他方、第１の態様において、カード部（１６）の一辺と前記カード台紙（１２）の折り線（１４）側の一辺とを切り離し可能に連接された状態にして、カード台紙（１２）に対してカード支持部（１８）とカード部（１６）を折り畳んで台紙一体型カード（１００）とすることで、当該台紙一体型カード（１００）の折り線（１４）上に、カード部（１６）の一辺が位置することになる。この場合、前記折り線（１４）上の一辺と、前記カード部（１６）の一辺との間に連接部が存在する状態となる。
前記何れの状態においても当該台紙一体型カード（１００）の折り線（１４）上に、カード部（１６）の一辺が位置することになり、この部分を利用してカード部（１６）をカード支持部（１８）から容易に分離し取出すことが可能となる。
【００１３】
本発明に係わる第２の態様は、第１の態様において、前記カード部（１６）の四コーナーが角丸形状であることを特徴とする台紙一体型カード（１００）である。
【００１４】
本発明に係わる第３の態様は、第１の態様または第２の態様において、前記カード部（１６）と前記カード支持部（１８）とを連接する連接部は、前記カード部（１６）の前記折り線（１４）と直交する方向の一対の辺に設けられたミシン目状の連接部であることを特徴とする台紙一体型カード（１００）である。
【００１５】
本発明に係わる第４の態様は、第１の態様または第２の態様において、前記カード部（１６）と前記カード支持部（１８）とを連接する連接部（３１）は、前記カード部（１６）の前記折り線（１４）と直交する方向の一対の辺に設けられた留め状の連接部（３１）であり、前記留め状の連接部（３１）を一辺当たり少なくとも２個以上設けたことを特徴とする台紙一体型カード（１００）である。
【００１６】
本発明に係わる第５の態様は、第１の態様から第４の態様のいずれか１つの態様において、前記カード支持部（１８）の四コーナーのうち少なくとも前記折り線（１４）と対向する辺のコーナーが、角丸形状であることを特徴とする台紙一体型カード（１００）である。勿論、カード支持部（１８）の折り線（１４）側の辺のコーナーを角丸形状とすることもできる。
【００１７】
本発明に係わる第６の態様は、第１の態様から第５の態様のいずれか１つの態様において、前記台紙（１２）の四コーナーのうち少なくとも前記折り線（１４）と対向する辺のコーナーが、角丸形状であることを特徴とする台紙一体型カード（１００）である。勿論、カード台紙（１２）の折り線（１４）側の辺のコーナーを角丸形状とすることもできる。
【００１８】
本発明に係わる第７の態様は、第１の態様から第６の態様のいずれか１つの態様において、前記カード台紙（１２）の折り線（１４）側の一辺には、カード取り出し部（４１）が備わっていることを特徴とする台紙一体型カード（１００）である。
【００１９】
本発明に係わる第８の態様は、第１の態様から第７の態様のいずれか１つの態様において、前記カード部（１６）には、光学読取り可能なコード情報（１７）が形成されていることを特徴とする台紙一体型カード（１００）である。
【００２０】
本発明に係わる第９の態様は、第１の態様から第８の態様のいずれか１つの態様において、前記コード情報（１７）が、一次元コードまたは二次元コードであることを特徴とする台紙一体型カード（１００）である。
【００２１】
本発明に係わる第１０の態様は、第１の態様から第９の態様のいずれか１つの態様において、前記カード台紙（１２）には窓部（１３）が設けられ、前記コード情報（１７）が前記窓部（１３）を介して表出することを特徴とする台紙一体型カード（１００）である。
【００２２】
本発明に係わる第１１の態様は、第１０の態様において、前記窓部（１３）は、前記台紙（１２）の少なくとも一部を切除して形成したことを特徴とする台紙一体型カード（１００）である。
【００２３】
本発明に係わる第１２の態様は、第１の態様から第１１の態様のいずれか１つの態様において、前記カード台紙（１２）の窓部（１３）と対応しない前記カード部（１６）表面の所定領域にカードに固有なコード情報（１５）が形成されていることを特徴とする台紙一体型カード（１００）である。
【００２４】
本発明に係わる第１３の態様は、第１２の態様において、前記カードに固有なコード情報（１５）はスクラッチ層（５１）で覆われていることを特徴とする台紙一体型カード（１００）である。
【００２５】
第１３の態様によれば、スクラッチ層（５１）がカード部（１６）とカード台紙（１２）を張り合わせる側のカード面に設けられているため、外からは隠れた構造を呈している。そのため製品の運搬時や、店舗で販売しているときに擦れてスクラッチ層（５１）の有無にかかわらずカード面に印刷されているカードに固有なコード情報（１５）等が露見してしまうという懸念がなくなる。
【００２６】
さらにカードに固有なコード情報（１５）例えばＰＩＮコード（１５）等をスクラッチ層（５１）で覆った二つ折りの台紙一体型カード（１００）にすることにより、台紙一体型カード（１００）の製造工程におけるＰＩＮコード（１５）の不正使用を防止することが可能であると共に、カード部（１６）が誤ってもしくは故意に剥離されることによるＰＩＮコード（１５）の不正使用を防ぐことができる。
【発明の効果】
【００２７】
カード台紙とカード支持部とカード部とを一体とした台紙一体型カードとすることで、カード台紙とカード支持部とカード部とを同時に製造することが可能であり、カード台紙とカード支持部とカード部を別々に製造したときに生ずるカード台紙とカード支持部とカード部との整合性を確認する必要がないという効果がある。
【００２８】
また、カード部の一辺が折り線側の一辺と隣接または切り離し可能に連接されているため前記カード部の一辺を利用してカード部をカード支持部から容易に分離できるという効果がある。さらに、カード支持部の面積を小さくすることが可能となり経費節減の効果がある。
【００２９】
また、カード部がカード支持部に対して連接部を介して部分的に固定されているため、カードを取り出すには連接部を切り離す必要がある。従って一度でもカードが取り出されると前記連接部は元に戻らないので、カード取り出しの履歴が容易に判別可能となるという効果もある。
【図面の簡単な説明】
【００３０】
【図１】本発明に係わる台紙一体型カードにおける折り線で折り曲げるカー                    ド台紙とカード支持部とカード部との見開き図の一例である。
【図２】本発明に係わる台紙一体型カードにおける折り線で折り曲げるカー                    ド台紙とカード支持部とカード部との見開き図の他の一例である。
【図３】本発明に係わる台紙一体型カードにおける留め状の連接部を有する                    カード台紙とカード支持部とカード部との見開き図の例である。
【図４】本発明に係わる台紙一体型カードにおけるカード取り出し部を有す                    るカード台紙とカード支持部とカード部との見開き図の例である。
【図５】本発明に係わる台紙一体型カードにおけるカードに固有なコード情                    報がスクラッチ層で覆われているカード台紙とカード支持部とカー                    ド部との見開き図の例である。
【図６】本発明に係わる台紙一体型カードにおける折り線で折り畳まれた                      カード台紙とカード支持部とカード部とを表側から見た平面図であ                    る。
【図７】本発明に係わる台紙一体型カードにおける折り線で折り畳まれた                      カード台紙とカード支持部とカード部とを表側から見た平面図の他                    の一例である。
【図８】本発明に係わる台紙一体型カードにおける折り線で折り畳まれた                      カード台紙とカード支持部とカード部とを裏側から見た平面図であ                    る。
【発明を実施するための形態】
【００３１】
次に、本発明の実施形態について、図面を参照して詳述する。
【００３２】
図１は、本発明に係わる台紙一体型カードにおける折り線で折り曲げるカード台紙とカード支持部とカード部との見開き図の一例である。図１において、１００は台紙一体型カード、１１は引っかけ部、１２はカード台紙、１３は窓部、１４は折り線、１５はカードに固有なコード情報、１６はカード部、１７は光学読取り可能なコード情報、１８はカード支持部、１９は接着部、Ａは短辺（折り線方向の辺）、Ｂ、Ｃは長辺（折り線と直交方向の辺）を表している。
【００３３】
図１では、カード台紙１２とカード支持部１８およびカード部１６は同一基材を用いた。材料としてはポリエチレンテレフタレート（ＰＥＴ）、ポリ塩化ビニル（ＰＶＣ）、非結晶性ポリエチレンテレフタレート（ＰＥＴ−Ｇ）等のプラスチックシートあるいは厚紙（上質紙、コート紙、合成紙、ラミネート加工した紙等）が好適であるが、これらの材料に限定されるものではない。
【００３４】
上記の基材を用いて全面に絵柄印刷を施し、カード台紙１２とカード支持部１８とカード部１６を設計図に合わせて抜き加工する。カード台紙１２とカード支持部１８とカード部１６の抜き加工は、ピナクル刃またはビク刃を使用して形成する。抜き加工はこれらの方法に限定されるものではなく他の方法でもよい。
【００３５】
台紙一体型カード１００は長方形でコーナーが丸みを帯びた形状であるが、代表的なサイズは、長辺の長さＢが８６ｍｍ、長辺の長さＣが５４ｍｍで短辺の長さＡが１００ｍｍで、角丸形状のコーナーのＲは３ｍｍである。なお、Ａ、Ｂ、Ｃの長さ及びコーナーのＲは、用途により自由に変えることが可能である。本実施形態においては、カード台紙１２、カード部１６、カード支持部１８の全てのコーナーを角丸形状とした。
【００３６】
本実施形態においては、前記サイズの台紙一体型カードを基材に９面付けする。そのため基材としては、縦横５４０ｍｍ×３９０ｍｍの大きさの９面付け厚紙を使用した。
【００３７】
本発明において、連接部とは、基材を打ち抜き刃で打ち抜いたカード部１６とカード支持部１８との境界領域を意味するものである。
【００３８】
店頭販売するために棚に引っかけるための引っかけ部１１は直径８．０ｍｍの円形に開口されている。引っかけ部１１の形状は図１にも示されているがどのような形でもよい。
【００３９】
カード部１６には金額等の情報が記録された光学読取り可能なコード情報１７を紫外線硬化型インクジェットプリンターで形成するが、印字できるものであればどのようなプリンターでもよい。光学読取り可能なコード情報１７としては、一次元コードと二次元コードがあり、一次元コードの場合バーコードを用いている。
【００４０】
バーコードとは、通常、線の太さ，間隔、色別等により数字符号をバーの組み合わせでパターン化したもので、これを管理対象符号とするものである。
【００４１】
二次元コードの場合はＱＲコード（登録商標）を用いる。二次元コードは、バーコードを積み上げて構成するスタック型二次元コードや、マトリクス型二次元コードがある。二次元コードは、バーコード等に比べて省スペースで大容量の情報（例えば漢字ならば約１８００文字）を格納することができる。また、どの方向からも読み取りができる。さらに、一部の汚れや破損があっても、誤り訂正をしつつ復元するので誤読率が低いという利点がある。
【００４２】
カードに固有なコード情報１５は紫外線硬化型インクジェットプリンターで形成するが印字できるものであればこれに限定されない。本発明におけるカードに固有なコード情報１５としては例えばＰＩＮコードがある。
【００４３】
次にカード支持部１８の横面に接着部１９を設ける。接着部１９に使用される接着剤は天然系接着剤（でんぷん等）が好ましいが、合成系接着剤（アクリル系接着剤、シアノアクリレート系接着剤、嫌気性接着剤、ポリ酢酸ビニル系接着剤、エチレンー酢酸ビニルコポリマー系接着剤、スチレン系ブロックコポリマー接着剤、ポリウレタン系接着剤等）でもよい。カード部１６を除いたカード支持部１８とカード台紙１２とが接着可能で容易に剥離しないものであればどのようなものを用いてもよい。
【００４４】
次にカード部１６の光学読取り可能なコード情報１７が設けられた位置に対向するカード台紙１２の所定領域の一部を切除して窓部１３を形成する。図１では窓部１３が四角形状をしているが、光学読取り可能なコード情報１７を読取ることができればこの形状に限定されるものではない。
【００４５】
台紙一体型カード１００を折り線１４で折り曲げるときの折り線１４は、ミシン目の折り線１４が一般的であるが、筋押しの折り線１４でも、ハーフカットの折り線１４でもよい。
【００４６】
カード部１６から取り出したカードの規格サイズは、国際規格で、縦５４ｍｍ、横８６ｍｍ、厚さが０．７６ｍｍと決まっているが、本発明の場合は必ずしもそれに限定されるものではない。
【００４７】
図２は、本発明に係わる台紙一体型カードにおける折り線で折り曲げるカード台紙とカード支持部とカード部との見開き図の他の一例である。２１はミシン目状の連接部である。
カード部１６の少なくとも対向する一対の辺に設けられたミシン目状の連接部２１は連接刃で打ち抜き加工してミシン目状に形成する。
【００４８】
図３は、本発明に係わる台紙一体型カードにおける留め状の連接部を有するカード台紙とカード支持部とカード部との見開き図の例である。３１は留め状の連接部である。本発明における留め状の連接部３１は、通常四角形であることが好ましいがこの形状に限定されず、図３で示されているように丸型形状でもよい。
【００４９】
図４は、本発明に係わる台紙一体型カードにおけるカード取り出し部を有するカード台
紙とカード支持部とカード部との見開き図の例である。４１はカード取り出し部である。
カード取り出し部４１は、カード台紙１２の折り線１４側の一辺に形成されており、欠けている部分を指すもので、カード部１６からカードを取り出しやすいように設けられている。カード取り出し部４１の大きさと形状は図４に示されたものが好ましいが、爪などでカードを取り出せれば特に限定されるものではない。
【００５０】
図５は、本発明に係わる台紙一体型カードにおけるカードに固有なコード情報がスクラッチ層で覆われているカード台紙とカード支持部とカード部との見開き図の例である。５１はスクラッチ層である。カード部１６にスクラッチ層５１をシルク印刷機等で形成する。スクラッチ層５１は、カードを使用する際に必要なＰＩＮコード１５の上に印刷される層である。スクラッチ層５１は、コインや爪等で引っ掻くことにより剥離可能な材料であれば、どのような材料を用いてもよい。
【００５１】
スクラッチ層５１は、ＰＩＮコード１５を隠蔽し、かつ、コインや爪等で擦る等により、比較的容易に削り取ることができる性質を備えた層であり、具体的には、隠蔽性の高い顔料が、比較的多量にバインダ樹脂中に分散したものであって、必要に応じて、着色の目的で、染料もしくは通常の顔料が配合されてあってもよい。
【００５２】
スクラッチ層５１を構成する隠蔽性の高い顔料としては、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。
【００５３】
また、スクラッチ層５１を構成するバインダ樹脂としては、上記の隠蔽性の高い顔料を保持し、基材との接着性の良好なものを選択して用い、例えば、天然ゴム、もしくは塩酸ゴム等のゴム系天然樹脂、ポリブタジエン、スチレンーブタジエン共重合体、アクリロ二トリルーブタジエン共重合体、ポリイソプレン、ポリクロロプレン、アクリル、塩化ビニル、もしくは塩化ビニルー酢酸ビニル共重合体等を使用する。
【００５４】
スクラッチ層５１がＰＩＮコード１５を隠蔽するには、上記した隠蔽性の高い顔料、バインダ樹脂、および溶剤等を用いて混合、分散して、スクラッチ層形成用インキ組成物ないし塗料組成物としたものを用い、公知の印刷方法もしくは塗布方法により印刷もしくは塗布する。本発明においてはシルク印刷機を用いている。スクラッチ層５１の厚みとしては、３μｍ〜１０μｍであることが好ましい。
【００５５】
図６は、本発明に係わる台紙一体型カードにおける折り線で折り畳まれたカード台紙
とカード支持部とカード部とを表側から見た平面図である。留め状の連接部３１によりカード部１６がカード支持部１８に支えられている。留め状の連接部３１が一辺に複数あるとカード部１６からカードを剥離するときにバリ（材料を加工する際に発生する突起）が発生しやすくなるので好ましくない。
【００５６】
図７は、本発明に係わる台紙一体型カードにおける折り線で折り畳まれたカード台紙とカード支持部とカード部とを表側から見た平面図の他の一例である。図７では、カード取り出し部４１は台紙一体型カード１００の裏面に形成されているため破線で表している。
【００５７】
図８は、本発明に係わる台紙一体型カードにおける折り線で折り畳まれたカード台紙とカード支持部とカード部とを裏側から見た平面図である。図では、窓部から表出しているバーコードをレジで読取った後に台紙一体型カード１００に記載されているＰＩＮコード１５が有効化し、端末（図示せず）入力のための金銭として使用可能となる。
【００５８】
以下、台紙一体型カードの実施例について説明する。
（実施例１）
台紙一体型カード１００に用いる厚紙として、王子製紙製のＯＫエルカード（３１０ｇ／ｍ2  縦横５４０ｍｍ×３９０ｍｍ  ９面付け厚紙）を用いた。
【００５９】
次にオフセット印刷機で台紙一体型カード１００の両面に表面２回、裏面２回の絵柄印刷を行った。
【００６０】
次にカード部１６にバーコード１７とＰＩＮコード１５をインクジェットプリンターで印字し、枚葉オフセット印刷機を用いて、保護膜層を形成した。
【００６１】
次に接着部１９には糊あるいは両面テープを使用した。
【００６２】
次に９面付けで製作された厚紙を平台活版機で抜き加工および連接部形成加工を行った。カード台紙１２とカード支持部１８とカード部１６の抜き加工は、０．８ｍｍのピナクル刃を使用して、分離する部分は抜き刃で形成し、連接部２１および折り線１４は、連接刃で打ち抜き加工にて形成した。
【００６３】
（実施例２）
台紙一体型カードに用いる厚紙として、王子製紙製のＯＫエルカード（３１０ｇ／ｍ2
縦横５４０ｍｍ×３９０ｍｍ  ９面付け厚紙）を用いた。
【００６４】
次にオフセット印刷機で台紙一体型カード１００の両面に表面２回、裏面２回の絵柄印刷を行った。
【００６５】
次にカード部１６にバーコード１７やＰＩＮコード１５をインクジェットプリンターで印字し、枚葉オフセット印刷機を用いて、保護膜層を形成した。
【００６６】
次にＰＩＮコード１５領域をシルク印刷機にて印刷しスクラッチ層５１を形成した。
【００６７】
次に接着部１９には糊あるいは両面テープを使用した。
【００６８】
次に９面付けで製作された厚紙を平台活版機で抜き加工および連接部形成加工を行った。カード台紙１２とカード支持部１８とカード部１６の抜き加工は、０．８ｍｍのピナクル刃を使用して、分離する部分は抜き刃で形成し、連接部２１および折り線１４は、連接刃で打ち抜き加工にて形成した。
【符号の説明】
【００６９】
１００  台紙一体型カード
１１    引っかけ部
１２    カード台紙
１３    窓部
１４    折り線
１５    カードに固有なコード情報（ＰＩＮコード）
１６    カード部  
１７    光学読取り可能なコード情報（バーコード）
１８    カード支持部
１９    接着部
２１    ミシン目状の連接部
３１    留め状の連接部
４１    カード取り出し部
５１    スクラッチ層
Ａ      短辺（折り線方向の辺）
Ｂ  Ｃ  長辺（折り線と直交方向の辺）
【図１】
2014223767.tif 000003
【図２】
2014223767.tif 000004
【図３】
2014223767.tif 000005
【図４】
2014223767.tif 000006
【図５】
2014223767.tif 000007
【図６】
2014223767.tif 000008
【図７】
2014223767.tif 000009
【図８】
2014223767.tif 000010